(57)【要約】      （修正有）【課題】  センサで測定された相対湿度が窓上の相対湿度に対応するよう、車両の車室の内部湿度を確実に検出する。【解決手段】  壁によって画成された内部容積、特に、車両の車室３の内部湿度、及び上記壁の、特に、車両の車室３の窓５の内側面の曇り発生傾向を、湿度センサ素子１と温度センサ２を有し湿度センサ素子１と温度センサ２が熱的に結合している露点センサ１０、及び表面温度センサ４によって判別するセンサ手段であって、露点センサ１０は内部容積の空気湿度と室温を測定するようにされており、表面温度センサ４は上記内側面の表面温度を測定するようにされているセンサ手段が提案される。【選択図】      図１
2005241639.tif 000002
【特許請求の範囲】
【請求項１】
壁によって画成された内部容積、特に、車両の車室（３）の内部湿度又は内部露点、及び前記壁の、特に前記車の車室（３）の窓（５）の内側面の曇り発生傾向を判別するセンサ手段であって、
-  湿度センサ素子（１）と温度センサ（２）とを備える露点センサ（１０）、及び、
-  表面温度センサ（４）、
を備えるセンサ手段において、前記露点センサ（１０）は前記内部容積の空気湿度と室温を測定するようにされており、前記表面温度センサ（４）は前記内側面の温度を測定するようにされていることを特徴とするセンサ手段。
【請求項２】
前記表面温度センサは接触センサであり、好ましくはＮＴＣ又はＰＴＣセンサ素子であることを特徴とする請求項１に記載のセンサ手段。
【請求項３】
前記表面温度センサと前記壁の間に高い熱伝導性を有する材料が導入されていることを特徴とする請求項２に記載のセンサ手段。
【請求項４】
前記表面温度センサ（４）が前記露点センサ（１０）から熱的に分離されていることを特徴とする請求項２又は３に記載のセンサ手段。
【請求項５】
前記センサ手段は印刷基板（９）を備え、前記露点センサ（１０）が該印刷基板（９）に取付けられていることを特徴とする請求項１乃至４のいずれか１項に記載のセンサ手段。
【請求項６】
前記センサ手段は可撓性の、好ましくは帯状導体が設けられた可撓性の熱伝導性シート（７）を備え、前記表面温度センサ（４）が該シート（７）に取付けられていることを特徴とする請求項１乃至５のいずれか１項に記載のセンサ手段。
【請求項７】
前記シート（７）が前記印刷基板（９）に導電的に接続されていることを特徴とする請求項５又は６に記載のセンサ手段。
【請求項８】
前記表面温度センサ（４）が前記印刷基板（９）に取付けられていることを特徴とする請求項４又は５に記載のセンサ手段。
【請求項９】
前記印刷基板（９）が突出端部（２７）と支持面（２８）から成る長手の基本形状を有しており、前記表面温度センサ（４）が前記突出端部（２７）に取付けられており、前記露点センサ（１０）が前記支持面（２８）上に配置されていることを特徴とする請求項８に記載のセンサ手段。
【請求項１０】
評価ユニット（６）が好ましくは前記印刷基板（９）上に、特に前記支持面（２８）上に配置されていると共に、前記露点センサ（１０）の測定信号から露点を計算するようにされていることを特徴とする請求項１乃至９のいずれか１項に記載のセンサ手段。
【請求項１１】
前記評価ユニット（６）が前記表面温度センサ（４）の測定信号から表面温度を求めるようにされていると共に、前記決定された表面温度を好ましくは日照センサ、雨センサ、外部温度センサ、及び／又は速度センサの信号に応じて補正するようにされていることを特徴とする請求項１０に記載のセンサ手段。
【請求項１２】
前記評価ユニット（６）が、前記求めた表面温度を、前記表面温度センサ（４）及び前記温度センサ（２）の測定信号の関数を用いて補正するようにされていることを特徴とする請求項１１に記載のセンサ手段。
【請求項１３】
前記評価ユニット（６）が、前記求めた表面温度を、前記関数の加算によって補正するようにされていることを特徴とする請求項１２に記載のセンサ手段。
【請求項１４】
前記関数は、前記表面温度センサ（４）及び前記温度センサ（２）の測定信号間の差を定数で重み付けをしたものであることを特徴とする請求項１２又は１３に記載のセンサ手段。
【請求項１５】
前記評価ユニット（６）が、前記計算された露点を前記求めた表面温度と比較して前記曇り発生傾向を判別するようにされていることを特徴とする請求項１１乃至１４のいずれか１項に記載のセンサ手段。
【請求項１６】
前記評価ユニット（６）が、前記表面温度センサ（４）の取付け点において所定の空気相対湿度の値を超えた場合に警告を発するようにされていることを特徴とする請求項１乃至１５のいずれか１項に記載のセンサ手段。
【請求項１７】
前記評価ユニット（６）が空調制御装置との、好ましくは車両の空調システムとのインターフェース（８）を、好ましくはＫｌｉｎｅ、ＣＡＮ、又はＬＩＮバスを備えることを特徴とする請求項１乃至１６のいずれか１項に記載のセンサ手段。
【請求項１８】
前記センサ手段が、湿度透過性のダイアフラム（１１）を備える蓋を有するハウジング（１２）を備え、前記露点センサ（１０）が前記ハウジング（１２）の内部に配置されていることを特徴とする請求項１乃至１７のいずれか１項に記載のセンサ手段。
【請求項１９】
前記センサ手段が、前面を有するセンサ・ホルダを備え、前記表面温度センサ（４）が、好ましくは前記前面を前記内側面に接着することによって、前記内側面に熱を伝達するように取付け可能になるように、前記表面温度センサ（４）が前記前面に取付けられていることを特徴とする請求項１乃至１８の少なくとも１項に記載のセンサ手段。
【請求項２０】
前記前面が、好ましくは着脱可能な保護シートを含む接着シート（２０）を備えることを特徴とする請求項１９に記載のセンサ手段。
【請求項２１】
請求項１乃至１８のいずれか１項に記載のセンサ手段を備える固定装置（１６）であって、該固定装置は、車両のバックミラー（１４）のバックミラー・フット（１３）として設計されており、前記露点センサ（１０）が前記固定装置の内部に取付けられていることを特徴とする固定装置（１６）。
【請求項２２】
センサ装置を含む固定装置（１６）であって、前記センサ装置の電子ユニット（２５）が内部に設置されているバックミラー・フット（１３）として設計されたカバー、管状突出部（１９）、及びセンサ・ホルダ（１７）を備え、該センサ・ホルダ（１７）が、車両の窓の内側面に適合する前面（１８）を有していると共に前記突出部（１９）に押し被せることができ、前記センサ・ホルダ（１７）が前記突出部（１９）上で変位可能であると共に、車両の車室（３）にバックミラー・フット（１３）が取付けられる場合に、前記センサ・ホルダ（１７）を変位させることにより車両の窓（５）の前記内側面に前記前面（１８）が当接できるように、前記センサ・ホルダ（１７）が前記突出部（１９）上に配置されていることを特徴とする固定装置（１６）。
【請求項２３】
前記センサ装置が請求項１乃至１７の少なくとも１項に記載のセンサ手段を備え、前記表面センサ（４）が、好ましくは前記前面（１８）を前記内側面に接着させることによって、前記車両の窓（５）の内側面に熱を伝導するように取付け可能になるように、前記表面センサ（４）が前記前面（１８）に取付けられており、前記露点センサ（１０）が前記ハウジングの内部に配置されていることを特徴とする請求項２２に記載の固定装置。
【請求項２４】
少なくとも請求項６に記載のセンサ手段を備えるセンサ装置、及びホルダを有するハウジングの固定装置であって、可撓性の熱伝導性の材料（２６）、好ましくは熱伝導性のシリコン接着剤が前記印刷基板（９）の前記突出端部（２７）の前面（１８）上に、前記表面温度センサ（４）の取付け点にて配置されており、前記ホルダを有するハウジングは、前記材料（２６）を有する前記印刷基板（９）を内側面に、好ましくはフロントガラス（５）に押しつけるようにされていることを特徴とする固定装置。
【請求項２５】
前記可撓性の熱伝導性の材料が、前記印刷基板の端に、前記表面温度センサの取付け点にて押し被せることができるキャップとして設計されていることを特徴とする請求項２４に記載の固定装置。
【請求項２６】
金属部品、特に鍛造曲げ部品、が前記表面温度センサの取付け点に取付けられている、好ましくははんだ付けされていることを特徴とする請求項２４又は２５に記載の固定装置。
【発明の詳細な説明】
【技術分野】
【０００１】
本発明は、壁によって画成された内部容積、例えば車両の車室の内部湿度、及び壁の内側面の曇り発生傾向を判別するセンサ手段に関する。センサ手段は、湿度センサ素子と温度センサとを有し、その湿度センサ素子と温度センサが熱的に結合している露点センサ、及び表面温度センサを備える。このセンサ装置は、特に、車両の窓内側面の曇り発生と車内部の湿度を検出するのに適する。
【背景技術】
【０００２】
曇り発生を防止したり内部湿度を測定するためのいくつかの方法が提案されている。欧州特許出願公開第１３８０４８１号明細書及び欧州特許出願公開第１３０６２４２号明細書は、湿度センサ素子を窓に直接又は窓に近接して取付けることを提案している。このセンサ素子は空気相対空気湿度を測定する。得られたデータは、窓に曇りが発生する傾向についての情報を与える。欧州特許出願公開第１３０６２４２号明細書は、さらに、曇り発生を防止するために車両の車室の温度をも考慮に入れることを提案している。
【０００３】
国際公開第０２／３３３９５号パンフレットは、露点センサを開示している。例えば車両の窓内側面において発生し得る気体媒質、例えば水蒸気から熱が奪われると、ある温度で凝縮して液体、例えば水になる。所定の空気相対湿度でのこの温度は露点と呼ばれ、測定された空気相対湿度（内部湿度）と測定された気温から計算することができる。所定の空気相対湿度において表面温度が露点に近い場合、表面は曇り易くなる（曇り発生傾向）、すなわち、液体が表面上で凝縮する。露点センサは取付けベースを有し、その上に空気湿度センサと気温センサが配設されている。取付けベースは熱伝導性のコーティングを有し、該コーティングが空気湿度センサ及び気温センサと熱的に接触している。空気湿度センサと気温センサは熱的な接触によって同一温度でデータを検出するので、露点センサの取付けベースにおける露点は、検出されたセンサ・データから求めることができる。
【発明の開示】
【発明が解決しようとする課題】
【０００４】
上記従来の方法の欠点は、湿度センサと窓表面との間に温度差があり、その結果、センサで測定された相対湿度が窓上の相対湿度に対応しなくなるということである。したがって、曇り発生傾向の正確な判別は不可能である。別の欠点は、この装置が、快適さを判別する決定的な要素である車室における相対湿度について正確な情報を提供しないことである。
【０００５】
本発明の主な目的は、従来技術の欠点を解消したセンサ手段及び該センサ手段を取付けるための固定装置であって、特に、支持面、すなわち、内部容積の壁、特に車両の窓の内側面の曇り発生傾向、及びその内部容積、特に車両の車室の内部湿度を確実に検出するセンサ手段及び該センサ手段を取付けるための固定装置を提供することである。
【課題を解決するための手段】
【０００６】
センサ手段に関するこの目的は、請求項１に係る装置によって達成される。固定装置に関しては、この目的は、請求項１９乃至２４に係る装置によって達成される。従属するクレイムは本発明の好ましい実施の形態を示す。
【０００７】
壁によって画成された内部容積、特に車両の車室の内部湿度及び／又は内部の露点、及び壁の内側面の曇り発生傾向を判別するための本発明のセンサ手段は、湿度センサ素子と温度センサとを有し、湿度センサ素子と温度センサが熱的に結合している露点センサ、及び表面温度センサを備える。熱的結合は、湿度センサ素子と温度センサが実質的に同じ温度、すなわち、内部の、すなわち、内部に存在する空気の温度、又は少なくとも内部温度に直接関連する温度になる。本発明によれば、露点センサは内部容積の空気湿度と室温を測定するようにされており、表面温度センサは内側面温度を測定するようにされている。
【０００８】
従来技術と異なり、露点センサは、内部、例えば車両の車室の内部に湿度センサ素子と温度センサと共に取付けられ、別の温度センサ（表面温度センサ）を車室の窓（窓ガラス）に取付けるものとしているが、これに対して湿度センサ素子は、従来は窓に接着されている。本発明の装置は、湿度センサ素子と温度プローブが同じ室温になり、窓の温度にする必要はないので、露点の正確な判別が可能になる。ひとつのセンサ、すなわち表面温度センサのみを窓の温度にすればよく、２つのセンサを窓の温度にすることに比べて労力が格段に少なくてすむ。さらに、単一の温度プローブを窓に取付ける労力は、２つのセンサを窓に取付ける労力よりも格段に少ない。この場合、組立コストは追加の温度プローブの部品コストよりも高くなる。本発明のセンサ手段は、曇り発生傾向、例えばフロントガラスの曇り発生傾向を確実に検出できる。窓の曇りは、例えば車両の空調システムによるコントロールで確実に対処できる。車両の車室における内部湿度がさらに測定される。車室における空気湿度は、不足していても過剰であっても乗客の快適さにマイナスに作用する。湿度が測定されれば、空調によって湿度を最適な値にコントロールできる。
【０００９】
表面温度センサは、好ましくは、接触温度センサ、特にＮＴＣ又はＰＴＣセンサ素子である。このセンサ素子が支持面、特に窓に、その温度が支持面、特に窓の温度に最適に対応するように取付けられる。
【００１０】
好ましい形態においては、表面温度センサと支持面との間に熱伝導性の高い材料が導入され、支持面又は表面温度センサの機械的な粗さ又は製造誤差をそれによって補償することができる。
【００１１】
好ましくは、表面温度センサは露点センサから、例えば評価ユニットへの結合ではセンサ間の結合は熱伝導性が低い材料、例えばプラスチック材料によってなされるといった形で、熱的に分離される。この分離によって、内側面の表面温度測定を表面温度センサによって最大の正確さで行うことができる。さらに、露点センサによる測定は内側面との熱的な結合によって誤差を生ずることがない。
【００１２】
好ましくは、センサ手段は印刷基板を備え、露点センサが印刷基板に取付けられることによって、組立、例えば車内での組立の際にセンサ手段の取り扱いが容易になる。
【００１３】
本発明のセンサ手段のある好ましい実施の形態においては、センサ手段は可撓性の熱伝導性シートを有し、このシートには好ましくは帯状導体が設けられており、表面温度センサがこのシートに取付けられている。このため、シートは印刷基板に、好ましくは導電的に接続される。この実施の形態においては、１つのコンポーネントのみを用いて、表面センサと内側面との熱的結合及び表面温度センサと評価ユニットとの接続を可能にする。
【００１４】
本発明のセンサ手段の別の実施形態においては、表面温度センサが印刷基板に取付けられる。この実施の形態は、特に、センサ手段の迅速な取付けに適している。本発明のセンサ手段のこの実施の形態においては、印刷基板は、好ましくは、長手の基本形状を有する。この基本形状は、突出端部と支持面によって形成され、表面温度センサは突出端部に取付けられ、露点センサと評価ユニットは支持面に配設されている。長手の基本形状と上述のような露点センサ、評価ユニット、及び表面温度センサの配置によって、表面温度センサと露点センサの熱的な分離がそれらの空間的距離によって達成される。
【００１５】
ある好ましい実施の形態においては、好ましくは、評価ユニットは印刷基板上、特に支持面に設けられ、湿度センサ、及び湿度センサの直ぐ近傍に位置する温度センサからの測定信号を処理し、それらから露点を計算する。
【００１６】
好ましい態様においては、評価ユニットは、表面温度センサからの測定信号を、表面温度センサ及び湿度素子上の温度センサの測定信号の関数の加算や乗算によって補正し、それによって表面温度を判別する。表面温度センサは窓と物理的に直接接触しておらず、温度センサからの測定信号の補正が必要になる。別の好ましい態様においては、このように判別された表面温度が日照センサ、雨センサ、外部温度センサ、及び／又は速度センサの信号に応じて補正される。
【００１７】
好ましくは、上記関数は表面温度センサからの測定信号に加えら加算される。
【００１８】
好ましくは、上記関数は表面温度センサと湿度エレメント上の温度センサの測定信号間の差を、ある定数によって重み付けしたものであり、これによって表面温度センサの測定信号の補正に対する第一近似が得られ、実際の用途では多くの場合それで十分である。
【００１９】
特に有利な態様においては、評価ユニットは計算された露点を判別された表面温度と比較し、その比較結果から曇り発生傾向を判別するようにされている。
【００２０】
好ましくは、評価ユニットは、表面温度センサの取付け点において所定の空気相対湿度の値を超えたときに警告を発するようにされている。本発明のセンサ手段が車両の車室に用いられる場合、この取付け点は、好ましくはフロントガラスの内側面、又は印刷基板上の点、具体的には表面温度センサが取付けられる点である。これによって、乗客は、例えば車両の換気装置のスイッチを入れることによってフロントガラスの曇り発生を防止できる。
【００２１】
特に好ましい態様においては、評価ユニットは、例えばフロントガラスの曇り発生を自動的に防止できるようにする空調制御、特に車両の空調制御のためのインターフェースを、特にＫｌｉｎｅ、ＣＡＮ、 又はＬＩＮバスを有する。評価ユニットは、室内、特に車両の車室内の空気の露点、及び壁の、特に車両の窓の内側面温度を出力できる。さらに、評価ユニットは、壁の内側面の空気相対湿度と温度を出力することができる。評価ユニットはさらに、湿度センサの位置における空気相対湿度と温度を出力することができる。
【００２２】
信頼できる空気湿度測定と同時に、埃等からセンサ手段を保護することが、本発明のセンサ手段で実現でき、特にセンサ手段が湿度を透過するダイアフラムを有する蓋付きハウジングを備え、露点センサをハウジング内部に配設することによって実現できる。このダイアフラムによって、露点センサの位置における空気湿度が内側容積内の空気湿度に一致することが保証される。
【００２３】
好ましくは、センサ手段は前面を有するセンサ・ホルダを備え、好ましくはこの前面を内側面に接着することによって、内側面に熱伝導するように取付け可能になるように、表面温度センサが前面に取付けられる。これにより、表面センサを内側面に確実に且つ簡単に取り付けることができる。接着は、高い熱伝導性を有する接着剤を用いて行うことが有利である。
【００２４】
この場合、好ましくは、接着シートを用い、それを取外し可能な保護シートで覆うと表面温度センサの取付けがさらに容易になる。
【００２５】
本発明のセンサ手段は、特に、固定装置に設置するのに適し、固定装置は車両のバックミラーのバックミラー・フット（foot）として設計され、露点センサはこの固定装置内に取付けられる。露点を判別するためのデータはバックミラー・フットの車両の車室内の取付け場所で測定される。
【００２６】
本発明のセンサ装置を含む固定装置の別の実施形態は：
-  センサ装置の電子ユニットが設置されたバックミラー・フットとして設計されたカバー；
-  該カバー上の管状突起部；及び
-  車両の窓の内側面に適合する前面を有する突起部に押し被せることができるセンサ・ホルダ；
を備える。
【００２７】
これにより、センサ・ホルダは、変位可能であり、且つバックミラー・フットが車両の車室内に取付けられたときにセンサ・ホルダを変位させることによって、センサ・ホルダの前面が車両の窓の内側面上に載置されるように突起部上に配設される。この実施の形態の固定装置を用いることにより、如何なるセンサ装置でも取付けることができる。本発明のセンサ手段は、好ましくは、本発明の固定装置によって車両の内部に取付けられる。センサ装置は本発明のセンサ手段を備え、表面温度センサは、車両の窓の内側面に、好ましくは内側面への前面の接着によって熱を伝導するように取付けできるように前面へ取付けられ、露点センサはカバー内に配設される。本発明の固定装置は、埃及び／又は損傷に対して、特に窓をクリーニングするときにセンサ手段を十分に保護することができる。表面温度センサと窓の間の熱的に良好な結合も確保される。本発明の固定装置はまた、組立が簡単である。
【００２８】
表面温度センサが印刷基板上に配設される本発明の上記実施の形態のセンサ手段は、好ましくは、センサ手段を囲むハウジングを有する固定装置を用いて取付けられると共に、内部容積の壁上のホルダを備える。この場合、表面温度センサが印刷基板上に取付けられる個所において、可撓性の熱伝導性材料、好ましくはシリコン熱伝導性材料が印刷基板の突出端部前面に配置される。ホルダを有するハウジングは、印刷基板をその材料と共に壁の、好ましくはフロントガラスの内側面を押し付けるようにされている。この構造の固定装置は、本発明のセンサ手段の迅速な組立を可能にし、表面温度センサは、例えばフロントガラスの内側面に、低コストな方法で熱的に良好に結合される。
【００２９】
固定装置のある好ましい実施の形態においては、可撓性の熱伝導性材料は、表面温度センサの取付け点において、印刷基板の端部に押し被されるキャップとして設計されている。
【００３０】
固定装置の別の好ましい実施の形態においては、表面温度センサの取付け点に金属部品、例えば鍛造−曲げ部品が、例えばはんだ付けによって取付けられる。この金属部品上に熱伝導性材料が、その周囲への射出又は鋳造などによって配設されている。
【００３１】
その他の利点は、以下の説明及び添付の図面から引き出すことができる。上記の特徴及び以下で述べる特徴は、個別に利用することも、任意の組み合わせで利用することもできる。記載された実施の形態は、すべてを列挙したものではなく、例示的なものである。
【発明を実施するための最良の形態】
【００３２】
以下、本発明をその実施の形態について図面を参照してさらに詳しく説明する。図は、本発明の対象をごく概略的に示したものであり、一定の縮尺で描かれてると解するべきではない。本発明の対象の個々の構成要素は、その構成が明確に分かるように図示されている。
【００３３】
図１は、車両の車室３に取付けられた車両のバックミラー・フット１３に一体に組み込まれた本発明のセンサ手段を示す。本発明のセンサ手段は、露点センサ１０を用いた内部相対湿度と内部温度の測定によって、車両の窓５の曇り発生傾向を判別する。内部の露点又は絶対湿度が、例えば国際公開第０２３３３９５号パンフレットから知られるように、この値から判別される。さらに車両の窓５の片側の内側面の窓温度が、表面温度センサ４によって判別される。内側面の曇り発生傾向は、窓温度と露点から評価ユニット６を用いて判別される。曇り発生傾向と内部湿度を検出するための本発明のセンサ手段は、内部３に、特に車両の車室に配設されていると共に、互いに熱的に良く結合されている湿度センサ素子１及び温度センサ２を備える。本発明のセンサ手段はまた、内部の外壁、特に車両の窓５の内側面の温度を判別する表面温度センサ４と、その測定データを評価する評価ユニット６とを備える。表面温度センサ４は、湿度センサ素子１及び温度センサ２から熱的に分離されている。表面温度センサ４は、外壁、例えば車両の窓５の内側に接着剤で、特に、高い熱伝導性を有する接着剤で接着されている。表面温度センサ４は、可撓性シート７に取付けられている。可撓性シート７は、好ましくは、帯状導体が設けられていると共に、高い熱伝導性を有する。シート７は、壁(外壁)の内側に、例えば車両の窓５の内側に取付けられており、シート７は高い熱伝導性を有するので、表面温度センサ４と窓５の間の良好な熱的結合がそれによって確実に行われる。この場合、良好な熱的結合とは、表面温度センサ４が実質的に内側面の実際の温度を呈し、それによって計算できるということを意味する。評価ユニット６は、内部、例えば車両の車室３の空調制御装置にインターフェース８を介して接続されている。湿度センサ素子１、温度センサ２及び評価ユニット６は、印刷基板９に取付けられている。表面温度センサ４が設けられたシート７は、湿度センサ素子１、温度センサ２、及び評価ユニット６が設けられた印刷基板９に導電的に接続されている。湿度センサ素子１、温度センサ２、評価ユニット６、及び表面温度センサ４をすべて共に印刷基板９に取付けてもよい。この場合、表面温度センサ４と印刷基板９の熱的な分離が必要になる。湿度センサ素子１と温度センサ２との組（arrangement）、すなわち露点センサ１０は、車両のバックミラー１４のフット１３に取付けられている。湿度センサ素子１と温度センサ２との組は、湿度に対して透過性を有するダイアフラム１１を有する蓋を備えるハウジング１２によって保護されている。評価ユニット６は、壁の、例えば車両の窓５の内側面における空気相対湿度の調整可能な閾値を越えた場合に、警告を、例えばインターフェース８によって発するように設計してもよい。
【００３４】
図２ａは、車両の車室３において車両の屋根１５に取付けられる車両のバックミラー・フット１３として設計された本発明の固定装置を示す。バックミラー・フット１３は管状突起部１９によって延伸されたカバーを形成する。図２ｂは、カバー内に設置された電子装置２５、例えば評価ユニット及び／又は本発明のセンサ手段の露点センサ及び／又はその他のセンサ、しかしながら、好ましくは湿度センサ、温度センサ、及び評価ユニットから成るものを含む本発明の固定装置を示す。電子ユニット２５は、カバー内に、すなわちバックミラー・フット１３に設置されており、給電線２１によって表面温度センサ４に接続されている。センサ・ホルダ１７が突起部１９に押し被されている。車両にバックミラー・フット１３を取付ける前に、センサ・ホルダ１７をカバー又はミラー・フット１３に完全に押し付け、適当な構成手段、例えばロッキング溝によって外れることを防止する。センサ・ホルダ１７の前面１８は、フロントガラス５に適合するようにされている。さらに表面温度センサ４が、センサ・ホルダ１７の前面１８に、表面温度センサ４が前面１８と同一面で終端するように一体に取付けられる。すなわち、組立てられた状態で表面温度センサ４とフロントガラス５の間に緊密な接触が生ずるようになっている。前面１８には接着（bonding）シート２０などがセンサ・ホルダ１７をフロントガラス５に取付けるために設けられている。前面１８は、例えば接着シート２０に対する接触面を形成する。接着シート２０には、表面温度センサ４の位置にくぼみを設けることができる。前面１８と接着シート２０には取付ける前の状態では保護シートが設けられている。
【００３５】
バックミラー１４を設置するには、先ず保護シートを取り除き、次いで、バックミラー・フット１３又はカバーを取付けるか、又はその逆の順、即ち、バックミラー・フット１３又はカバーの取り付けの後保護シートを取り除く。その後、センサ・ホルダ１７をフロントガラス５に押し付け、接着する。
【００３６】
図３ａは、本発明の固定装置の他の実施の形態を示す側面図であり、図３ｂはその上面図である。センサ装置を備える本発明のこの実施の形態の固定装置は以下のものを備える：
-  湿度センサ素子１、温度センサ２、評価ユニット６、及び表面温度センサ４を構成要素として取付けた印刷基板９。印刷基板９は長手の基本形状を有する。この基本形状は、突出端部２７と支持面２８とから成る。印刷基板９上の各構成要素の配置は、表面温度センサ４が印刷基板９上の他の構成要素から熱的に分離されるように選択されている。このために、表面温度センサ４は印刷基板９の突出端部２７に取付けられており、残りの構成要素は支持面２８上に配置されている。
-  可撓性の熱伝導性を有する物質２６、例えば熱伝導性のシリコン接着剤が、印刷基板９の突出端部２７の前面１８上の、表面温度センサ４の取付け点に配置されている。物質２６は、フロントガラス５への緊密な熱伝導性を有する接触部となり、その可撓性によって機械的な製造誤差を補償する。
-  印刷基板９を物質２６と共にフロントガラス５に押しつけるホルダ（図示せず）を含むハウジング。
【００３７】
本発明は上記の実施の形態に限定されない。基本的に異なる実施の形態における本発明の特徴を利用する種々の変形が可能である。
【図面の簡単な説明】
【００３８】
【図１】車両の車室に取付けられる車両のバックミラー・フットに一体に組み込まれた本発明のセンサ手段を示す図である。
【図２】図２ａは、車両の車室に取付けられる車両のバックミラー・フットとして設計された本発明の固定装置を示す図である。図２ｂは、電子装置が内部に取り付けられた本発明の固定装置を示す図である。
【図３】図３ａは、本発明の別の固定装置を示す側面図である。図３ｂは、図３ａの固定装置を示す平面図である。
【符号の説明】
【００３９】
１  湿度センサ素子
２  温度センサ
３  車両の車室
４  表面温度センサ
５  窓
６  評価ユニット
７  シート
８  インターフェース
９  印刷基板
１０  露点センサ
１１  ダイアフラム
１２  ハウジング
１３  車両のバックミラー・フット
１４  車両のバックミラー
１５  車両の屋根
１６  固定装置
１７  センサ・ホルダ
１８  前面
１９  突出部
２０  接着シート
２１  給電線
２５  電子ユニット
２６  熱伝導性シリコン・マス
２７  突出端部
２８  支持面
【図１】
2005241639.tif 000003
【図２】
2005241639.tif 000004
【図３】
2005241639.tif 000005
【外国語明細書】
2005241639000001.pdf
2005241639000002.pdf
2005241639000003.pdf
2005241639000004.pdf